【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
電子式商品監視（ＥＡＳ）システムであって、
前記システムは、
台座システム内に物理的に配された複数の独立した監視システムの組み合わせを含み、
前記監視システムの組み合わせは、
磁気ＥＡＳタグと磁気分離器を含む磁性材料を検知する磁気ＥＡＳシステムとして構成された第１のＥＡＳシステム、
ファラデーシールドを検知する抗ファラデーシールドＥＡＳシステムとして構成された第２のＥＡＳシステム、
音響−磁気ＥＡＳタグを検知する音響−磁気ＥＡＳシステムとして構成された第３のＥＡＳシステム、および、
妨害対抗検出システムを含むことを特徴とするＥＡＳシステム。
【請求項２】
台座システムは、複数の台座からなり、
それぞれ第１、第２、第３のＥＡＳシステムの少なくとも１つの送受信機アンテナの少なくとも１つを収容する複数の台座の第１の台座、および、
それぞれ第１、第２、第３のＥＡＳシステムの少なくとも別の送受信機アンテナの少なくとも１つを収容する複数の台座の第２の台座を含むことを特徴とする請求項１に記載のＥＡＳシステム。
【請求項３】
台座システムは、少なくとも１つのトランシーバ台座からなり、磁気ＥＡＳシステムは複数の電磁システムを含み、複数の電磁システムは複数の磁気センサーを含むことを特徴とする請求項１に記載のＥＡＳシステム。
【請求項４】
複数の磁気センサーは、高透磁率の強磁性材料を有するコアと、コアに巻かれた伝導体からなることを特徴とする請求項３に記載のＥＡＳシステム。
【請求項５】
複数の磁気センサーの第１の磁気センサーは、第１の電磁システムを形成するために、複数の磁気センサーの第２の磁気センサーにつながれ、
複数の磁気センサーの第３の磁気センサーは、第２の電磁システムを形成するために、複数の磁気センサーの第４の磁気センサーにつながれ、
第１と第２の電磁システムは独立して機能することを特徴とする請求項４に記載のＥＡＳシステム。
【請求項６】
第１の磁気センサーは第１の信号を生成し、第２の磁気センサーは、第１の信号とは等しいが、ＥＡＳ磁気タグおよび分離器のうちの１つが第１と第２の磁気センサーの両方からほぼ等しく離間して検知される際の誤ったアラームの抑止および防止については第１の信号とは正反対の第２の信号を生成し、
第３の磁気センサーは第３の信号を生成し、第４の磁気センサーは、第３の信号とは等しいが、ＥＡＳ磁気タグおよび分離器のうちの１つが第３と第４の磁気センサーの両方からほぼ等しく離間して検知される際の誤ったアラームの抑止および防止については第３の信号とは正反対の第４の信号を生成し、
第１の電磁システムは第１の監視ゾーンを生成し、第２の電磁システムは、第１の監視ゾーンとは異なる第２の監視ゾーンを生成し、第１の監視ゾーンと第２の監視ゾーンの領域は、ＥＡＳシステムの完全な監視ゾーンを十分にカバーするように重なることを特徴とする請求項５に記載のＥＡＳシステム。
【請求項７】
ワイヤーはコアの長手方向の軸の長さ全体に沿ってコアに巻かれることを特徴とする請求項６に記載のＥＡＳシステム。
【請求項８】
抗ファラデーシールドＥＡＳシステムは、
第１のインダクタコイルを有する第１の抗ファラデーシールドＥＡＳシステム、
第２のインダクタコイルを有する第２の抗ファラデーシールドＥＡＳシステムからなり、
第１の抗ファラデーシールドＥＡＳシステムは、第２の抗ファラデーシールドＥＡＳシステムにつなげられることを特徴とする請求項１に記載のＥＡＳシステム。
【請求項９】
第１のインダクタコイルは、第１の幅、第１の軸長さ、および、第１の軸中心を備えた第１の空芯を有し、第１のインダクタコイルは、第１の空芯の第１の長手軸全体に沿って第１の空芯に巻かれ、
第２のインダクタコイルは、第２の幅、第２の軸長さ、および、第２の軸中心を備えた第２の空芯を有し、第２のインダクタコイルは、第２の空芯の第２の長手軸全体に沿って第２の空芯に巻かれ、
第１の空芯は第２の空芯上に配され、第１の軸中心は第２の軸中心に並行に並べられることを特徴とする請求項８に記載のＥＡＳシステム。
【請求項１０】
音響−磁気ＥＡＳシステムの第１の巻線の第１の直線部分は第１の軸中心を通り、音響−磁気ＥＡＳシステムの第２の巻線の第２の直線部分は第２の軸中心を通ることを特徴とする請求項９に記載のＥＡＳシステム。
【請求項１１】
音響−磁気ＥＡＳシステムは、第１の上部コイルと第２の下部コイルを含み、第１の上部コイルの底部は第２の下部コイルの上方部分に重なり、第１の上部コイルと第２の下部コイルの角部は、ほぼ長方形の曲がった角部を有することを特徴とする請求項１に記載のＥＡＳシステム。
【請求項１２】
磁気ＥＡＳシステムは、
入力アンテナ信号を増幅し、増幅した信号を出力するための、第１の増幅利得を備えた第１の増幅器、
増幅した信号のノイズのフィルタ処理と、フィルタ処理された信号の生成のための低域フィルタ、
オカレンスとノイズを区別するためにフィルタ処理した信号の変化速度を測定するための、および、変化速度が速い場合に差動信号を生成するための差動増幅器、
差動信号を増幅し、第２の増幅した信号を出力するための、第２の増幅利得を備えた第２の増幅器、
第２の増幅した信号を処理するための、および、感度閾値に基づいてアラームが生成されるかどうかを決定するマイクロプロセッサーを含むことを特徴とする請求項１に記載のＥＡＳシステム。
【請求項１３】
差動増幅器は、第１の時間τ１を生成する第１のタイマーと、τ１＞＞τ２であるτ２を生成する第２のタイマーとからなる差動入力段階を含み、
第１のタイマーはＲＣ回路の第１のセットからなり、第２のタイマーは、ＲＣタイマーの第２のセットからなることを特徴とする請求項１２に記載のＥＡＳシステム。
【請求項１４】
マイクロコンピュータはＡ／Ｄ変換器を用いて、第２の増幅した信号を、アナログからデジタル化入力信号に変換し、
デジタル化入力信号はサンプリングされ、読み取られ、サンプリングされた平均として記憶され、および、設定時間Ｔ内にサンプリングされた平均の平均値が増加している傾向にあるかどうかが決定され、もし、増加している傾向があり、サンプリングされた平均が感度閾値よりも大きい場合、マイクロコンピュータがアラームを生成することを特徴とする請求項１２に記載のＥＡＳシステム。
【請求項１５】
抗ファラデーシールドＥＡＳシステムは、以下のものからなる抗ファラデーシールドＥＡＳ信号処理回路を含み、
抗ファラデーシールドＥＡＳ信号処理回路は、
周波数選択器によって設定された所定の周波数で搬送波信号を生成するための信号生成器、
生成された搬送波信号を増幅し、信号の送信のためにアンテナに増幅した信号を出力するための、第１の増幅利得を備えた第１の増幅器、
送信アンテナから送信された信号を受信するための受信機アンテナ、
受信信号を増幅し、第２の増幅した信号を出力するための、第２の増幅利得を備えた第２の増幅器、
第２の増幅した信号のノイズのフィルタ処理、および、フィルタ処理された信号の生成のための低域フィルタ、
復調された信号を生成するために、フィルタ処理された信号を復調するための振幅復調器、
オカレンスとノイズを区別するために復調された信号の変化速度を測定するための、および、変化速度が速い場合に差動信号を生成するための差動増幅器、
差動信号を増幅し、第３の増幅した信号を出力するための、第３の増幅利得を備えた第３の増幅器、
第３の増幅した信号を処理するための、および、感度閾値に基づいて、アラームが生成されるかどうかを決定するマイクロプロセッサーからなることを特徴とする請求項１に記載のＥＡＳシステム。
【請求項１６】
マイクロコンピュータはＡ／Ｄ変換器を用いて、第３の増幅した信号をアナログからデジタル化入力信号に変換し、
デジタル化入力信号は読み取られ、サンプリングされ、サンプリングされた平均として記憶され、
マイクロプロセッサーは、アラームが生成されるかどうかを決定するために、受け取った記憶されたサンプル平均を予め決められたシグネチャ信号と比較することを特徴とする請求項１５に記載のＥＡＳシステム。
【請求項１７】
音響−磁気ＥＡＳシステムは、
第１のコイルと第２のコイルを含むアンテナ、
ＥＡＳタグのための監視ゾーンを定義する、第１の動作モードでのそれぞれの第１の信号と第２の信号の生成と送信のために、第１と第２のコイルにつながれたトランシーバモジュールを含み、
第１と第２の信号は、正常動作中に維持されるそれぞれの第１と第２の信号位相特性を有し、それぞれの信号位相にはほとんどが変化なく、
第２の動作モードのトランシーバモジュールは、第１と第２のコイルからの監視ゾーンから信号を受信し、
音響−磁気ＥＡＳシステムはさらに、
トランシーバモジュールからの受信信号を処理し、予め決められた条件に基づいてアラームを生成するためのマイクロプロセッサーを含むことを特徴とする請求項１に記載のＥＡＳシステム。
【請求項１８】
第１のコイルと第２のコイルは部分的に重なり、共通の面内に位置付けられることを特徴とする請求項１７に記載のＥＡＳシステム。
【請求項１９】
生成された第１と第２の信号は、ほぼ同相のみのそれぞれ第１と第２の磁場であることを特徴とする請求項１８に記載のＥＡＳシステム。
【請求項２０】
生成された第１と第２の信号は、ほぼ異相のみのそれぞれ第１と第２の磁場であることを特徴とする請求項１８に記載のＥＡＳシステム。
【請求項２１】
生成された第１と第２の信号は、正常動作中に維持されるとともにほぼ同相の特性とほぼ異相の特性のみの１つを有する、動作中にはほとんど何の信号位相変化も起こさない位相特性を備えたそれぞれ第１と第２の磁場であることを特徴とする請求項１８に記載のＥＡＳシステム。
【請求項２２】
トランシーバモジュールは、アンテナの第１と第２のコイルにつながれたトランシーバ回路からなることを特徴とする請求項１８に記載のＥＡＳシステム。